(57)【要約】      （修正有）【課題】構造が簡単で、かつ低コストで製造でき、持ち運びが便利なバンドホルダを提供する。【解決手段】一枚の板状材料から折り曲げ加工により形成されたバンドホルダ１００であって、板状材料の対向する両端を互いに反対する方向に折り曲げて角筒状に形成されており、ロール状に巻かれたバンドを繰り出し可能に保持するための１対のバンド保持部１０と、板状材料の中央部に切り込みを設けて形成された２つの舌片を中央から両側へ折り曲げて形成されており、１対のバンド保持部１０を押さえる１対の押さえ部２０と、押さえ部２０とバンド保持部１０を分離可能に固着する固着手段３０と、１対のバンド保持部１０の外側端面１２に設けられ、バンドの端部を挿通して引き出すためのバンド引き出し口４０とを備えている。【選択図】図１
0003187992.tif 000002
【実用新案登録請求の範囲】
【請求項１】
一枚の板状材料から折り曲げ加工により形成されたバンドホルダであって、
前記板状材料の対向する両端を互いに反対する方向に折り曲げて角筒状に形成されており、ロール状に巻かれたバンドを繰り出し可能に保持するための１対のバンド保持部と、
前記板状材料の中央部に切り込みを設けて、形成された２つの舌片を中央から両側へ折り曲げて形成されており、前記１対のバンド保持部を押さえる１対の押さえ部と、
前記押さえ部と前記バンド保持部とを互いに分離可能に固着する固着手段と、
前記１対のバンド保持部の外側端面に設けられ、前記バンドの端部を挿通して引き出すためのバンド引き出し口とを備えていることを特徴とするバンドホルダ。
【請求項２】
前記バンドの内周に嵌入し、前記バンドと共に前記１対のバンド保持部に保持されるリング部材をさらに備えていることを特徴とする請求項１に記載のバンドホルダ。
【請求項３】
前記１対のバンド保持部と前記１対の押さえ部とは開閉可能に形成されており、前記固着手段は、面ファスナーからなることを特徴とする請求項１又は２に記載のバンドホルダ。
【請求項４】
前記板状材料は、プラスチックダンボールシートであることを特徴とする請求項１から３のいずれか１項に記載のバンドホルダ。
【考案の詳細な説明】
【技術分野】
【０００１】
本考案は、ロール状のテープのように巻き取られた金属薄板、プラスチック等の材料からなるバンドを保持し、必要な長さのみを引き出すことができるバンドホルダに関する。
【背景技術】
【０００２】
従来、ステンレス等の金属薄板で作られテープのように巻き取られた金属薄板バンドを収納し、必要量のみを外部に引き出して使用するための金属薄板バンドホルダが提案されている（特許文献１）。
【０００３】
特許文献１に提案されている金属薄板バンドホルダは、ドーナツ形状のホルダ本体と、ドーナツ形状の蓋とから構成されている。ホルダ本体には、金属薄板バンドの端部を外部に引き出すためのバンド引き出し口が側部に設けられ、また、内部に内周位置の正四分割位置に４個のベアリングが設けられ、内部の外周位置の正四分割位置に上記４個のベアリングと対応させて４個のローラが設けられている。蓋には、金属薄板バンドも残量を視認するための覗き窓が設けられている。
【先行技術文献】
【特許文献】
【０００４】
【特許文献１】実開平４−７０８７４号公報
【考案の概要】
【考案が解決しようとする課題】
【０００５】
上述した特許文献１に記載された金属薄板バンドホルダは、ドーナツ形状のケースであることから、構造が複雑で、製造コストが高くなるという問題点があった。
【０００６】
また、金属薄板バンドの入れ替え作業が煩雑であり、かつ持ち運び不便であるという問題点もあった。
【０００７】
従って、本考案はこのような問題点を解消することを目的としている。即ち、本考案の目的は、構造が簡単であり、かつ低コストで製造でき、持ち運びが便利なバンドホルダを提供することにある。
【０００８】
本考案の他の目的は、軽量であり、かつバンドの入れ替え作業を容易にできるバンドホルダを提供することにある。
【課題を解決するための手段】
【０００９】
本考案によれば、バンドホルダは、一枚の板状材料から折り曲げ加工により形成されたバンドホルダであって、板状材料の対向する両端を互いに反対する方向に折り曲げて角筒状に形成されており、ロール状に巻かれたバンドを繰り出し可能に保持するための１対のバンド保持部と、板状材料の中央部に切り込みを設けて形成された２つの舌片を中央から両側へ折り曲げて形成されており、１対のバンド保持部を押さえる１対の押さえ部と、押さえ部とバンド保持部を互いに分離可能に固着する固着手段と、１対のバンド保持部の外側端面に設けられ、バンドの端部を挿通して引き出すためのバンド引き出し口とを備えている。
【００１０】
板状材料の対向する両端を互いに反対する方向に折り曲げて１対の角筒状のバンド保持部を形成し、板状材料の中央部に切り込みを設け、形成された２つの舌片を中央から両側へ折り曲げて１対のバンド保持部を押さえる１対の押さえ部を形成し、押さえ部とバンド保持部とを互いに分離可能に固着する固着手段を設けることにより、ロール状に巻かれたバンドを２カ所で保持することができ、従来のようにドーナツ形状のケースとする必要がなく、構造が簡単で、かつ低コストで製造でき、持ち運びが便利である。
【００１１】
バンドの内周に嵌入し、バンドと共に１対のバンド保持部に保持されるリング部材をさらに備えていることが好ましい。これにより、バンドの繰り出し及び巻き戻し時にバンドの内周の端部がバンド保持部に引っ掛かることを回避することができる。
【００１２】
１対のバンド保持部と１対の押さえ部とは開閉可能に形成されており、固着手段は、面ファスナーからなることがより好ましい。これにより、バンドの入れ替え作業を容易にできる。
【００１３】
板状材料は、プラスチックダンボールシートであることが好ましい。これにより、バンドホルダは、軽量で、手触りが良くなる。また、水に濡れても変形しないので、屋外でも使用することができる。
【考案の効果】
【００１４】
本考案によれば、板状材料の対向する両端を互いに反対する方向に折り曲げて１対の角筒状のバンド保持部を形成し、板状材料の中央部に切り込みを設け、形成された２つの舌片を中央から両側へ折り曲げて１対のバンド保持部を押さえる１対の押さえ部を形成し、押さえ部とバンド保持部とを互いに分離可能に固着する固着手段を設けることで、ロール状に巻かれたバンドを２カ所で保持することができ、従来のようにドーナツ形状のケースとする必要がなく、構造が簡単で、かつ低コストで製造でき、持ち運びが便利である。
【００１５】
また、バンドの内周に嵌入し、バンドと共に１対のバンド保持部に保持されるリング部材をさらに備えていることで、バンドの繰り出し及び巻き戻し時にバンドの内周の端部がバンド保持部に引っ掛かることを回避することができる。
【００１６】
１対のバンド保持部と１対の押さえ部は開閉可能に形成され、固着手段は、マジックテープ（登録商標）からなることで、バンドの入れ替え作業が容易にできる。
【００１７】
さらに、バンドホルダを形成する板状材料は、プラスチックダンボールシートであることで、バンドホルダは、軽量で、手触りが良い。また、水に濡れても変形しないので、屋外でも使用することができる。
【図面の簡単な説明】
【００１８】
【図１】本考案の一実施形態におけるバンドホルダの構成を概略的に示す斜視図である。
【図２】図１に示したバンドホルダの構成を示す正面図及び側面図である。
【図３】図１に示したバンドホルダにバンドを装着する際の状態を概略的に示す側面図である。
【考案を実施するための形態】
【００１９】
以下、本考案に係るバンドホルダの実施形態について、図を参照して説明する。
【００２０】
図１は本考案の一実施形態におけるバンドホルダ１００の構成を概略的に示しており、同図においては、バンドＢが収納された状態が示されている。図２（ａ）は図１に示したバンドホルダ１００の正面図であり、図２（ｂ）はバンドホルダ１００の側面図である。
【００２１】
図１及び図２に示すように、バンドホルダ１００は、一枚の板状材料、例えば、プラスチックダンボールシートから折り曲げ加工により形成されおり、１対のバンド保持部１０と、１対の押さえ部２０と、１対の固着手段３０と、１対のバンド引き出し口４０と、連結部５０と、リング部材６０とを備えている。バンドＢは、例えば、電柱などに取り付けるステンレスバンド又はプラスチックバンドである。
【００２２】
１対のバンド保持部１０は、板状材料の対向する両端を互いに反対する方向に折り曲げて開閉可能な角筒状に形成され、ロール状に巻かれたバンドＢを繰り出し可能に保持するためのものである。各バンド保持部１０は、固着手段３０を配置する側面１１と、外端面１２と、幅方向の両側に形成された２つの折り込み部１３とを備えている。また、バンド保持部１０は、手で握って持つことができるように構成されている。これにより、バンドホルダ１００自体の持ち運び及びバンドＢのバンドホルダ１００からの引き出し作業が便利になる。
【００２３】
各押さえ部２０は、板状材料の中央部に切り込みを設け、形成された２つの舌片を中央から両側へ折り曲げて形成されている。押さえ部２０は、バンド保持部１０の外側に位置し、バンド保持部１０の開放を阻止するために外部からバンド保持部１０を押さえるようになっている。
【００２４】
固着手段３０は、各押さえ部２０と各バンド保持部１０とを互いに分離可能に固着するものであり、例えば、面ファスナー（マジックテープ（登録商標）、ベルクロ（登録商標））からなる。図３に示すように、面ファスナーの一方３０ａをバンド保持部１０の表面に設け、面ファスナーの他方３０ｂを押さえ部２０の内側の面に設けることで、バンドＢをバンド保持部１０に収納した後、バンド保持部１０の表面に設けた面ファスナーの一方３０ａと、押さえ部２０の内側の面に設けた面ファスナーの他方３０ｂとを係合させることで、押さえ部２０とバンド保持部１０とを固着することができる。
【００２５】
バンド引き出し口４０は、各バンド保持部１０の外側端面にバンドＢの端部を挿通し、引き出すための長方形の切り抜きである。バンドＢをバンド保持部１０に収納する際に、バンドＢの端部を２つのバンド保持部１０のいずれかのバンド引き出し口４０に挿通させて、押さえ部２０とバンド保持部１０を固着する。２つのバンド引き出し口４０を設けることで、どちらからでもバンドＢの繰り出しが可能である。
【００２６】
連結部５０は、板状材料の中央部に設けられた切り込みの両側の部分であり、１対のバンド保持部１０を連結するように構成されている。１対のバンド保持部１０の間に連結部５０を介してひねりが形成され、面ファスナーが外れにくいように構成されている。連結部５０は、１対の押さえ部２０を形成する際に、開口５１と共に形成されている。
【００２７】
リング部材６０は、例えば金属板からリング状に形成されている。このリング部材６０は、バンドＢの内周に嵌入し、バンドＢと共に１対のバンド保持部１０に保持される。リング部材６０を設けることで、バンドＢの繰り出し及び巻き戻し時にバンドＢの内周の端部がバンド保持部１０の辺縁に引っ掛かることを回避することができる。
【００２８】
図３はバンドＢをバンドホルダ１００に装着する際の状態を示している。図３に示すように、バンドＢをバンドホルダ１００に装着する際に、押さえ部２０とバンド保持部１０を分離させ、バンド保持部１０を開放（展開）した状態で、バンドＢを両側から２つのバンド保持部１０のそれぞれに位置させ、そして、バンドＢの端部を２つのバンド保持部１０のいずれかのバンド引き出し口４０に挿通させて、バンド保持部１０を図中矢印ａの方向に折り曲げて角筒状に形成するようにし、最後に、押さえ部２０を、図中矢印ｂの方向に折り曲げてバンド保持部１０の外面に押さえるようにして、面ファスナーで固着する。このように、バンドＢが互いに反対する方向に位置する２つのバンド保持部１０に繰り出し可能に保持される。
【００２９】
上述したように、本実施形態におけるバンドホルダ１００は、板状材料の対向する両端を互いに反対する方向に折り曲げて１対の角筒状のバンド保持部１０を形成し、板状材料の中央部に切り込みを設け、形成された２つの舌片を中央から両側へ折り曲げて１対のバンド保持部１０を押さえる１対の押さえ部２０を形成し、押さえ部２０とバンド保持部１０とを互いに分離可能に固着する固着手段３０を設けることで、ロール状に巻かれたバンドＢを２カ所で保持することができ、従来のようにドーナツ形状のケースとする必要がなく、構造が簡単であり、かつ低コストで製造でき、持ち運びが便利である。
【００３０】
また、バンドＢの内周に嵌入し、バンドＢと共に１対のバンド保持部１０に収納されるリング部材６０をさらに備えていることで、バンドＢの繰り出し及び巻き戻し時にバンドＢの内周の端部がバンド保持部１０に引っ掛かることを回避することができる。
【００３１】
１対のバンド保持部１０と１対の押さえ部２０とは開閉可能に形成され、固着手段３０は、面ファスナーからなることで、バンドＢの入れ替え作業を容易に行うことができる。
【００３２】
さらに、バンドホルダ１００を形成する板状材料としてプラスチックダンボールシートを用いることで、バンドホルダ１００が軽量かつ手触りの良いものとなる。また、水に濡れても変形しないので、屋外でも使用することができる。
【００３３】
なお、以上述べた実施形態のバンドホルダ１００において、リング部材６０を備えている構成としたが、本考案はこれに限定されるものではない。場合によっては、リング部材６０を設けなくてもよい。
【００３４】
また、上述した実施形態のバンドホルダ１００において、固着手段３０として、面ファスナーを用いた例を説明したが、本考案はこれに限定されるものではない。例えばスナップボタン等の他の固着手段を用いてもよい。
【００３５】
また、上述した実施形態のバンドホルダ１００において、板状材料には、プラスチックダンボールシートを用いた例を説明したが、本考案はこれに限定されるものではない。他のシート材、例えば、厚紙、プラスチックコーティングした厚紙、プラスチックシート又は金属薄板材を用いてもよい。
【００３６】
さらに、上述した実施形態のバンドホルダ１００において、板状材料の折り目部分にミシン目状の切り込みを設けてもよい。この場合、折り曲げしやすく、かつバンド保持部の形状を安定して保つことができる。
【産業上の利用可能性】
【００３７】
本考案は、ステンレスバンド、プラスチックバンド等を保持し、必要な長さのみを引き出すことができるようにする目的に利用できる。
【符号の説明】
【００３８】
１０  バンド保持部
１１  側面
１２  外端面
１３  折り込み部
２０  押さえ部
３０  固着手段
４０  バンド引き出し口
５０  連結部
５１  開口
６０  リング部材
１００  バンドホルダ
Ｂ  バンド
【図１】
0003187992.tif 000003
【図２】
0003187992.tif 000004
【図３】
0003187992.tif 000005